(57)【特許請求の範囲】
【請求項１】
鍵孔に合鍵が挿入されたとき、内筒の外端内筒ユニットと最奥内筒ユニットは一体に連結されて回動するが、該内筒の外端内筒ユニットのピッキング時、該外端内筒ユニットを解錠方向に回そうとしても回すことができない構成とし、以てピッキングを不可能にするため、シリンダ錠の内筒を、少なくとも１個のタンブラーを有する最奥内筒ユニットと、少なくとも１個のタンブラーを有する外端内筒ユニットを含む複数の内筒ユニットに分割し、各内筒ユニットの外周に雄ねじを、外筒の内周面にこの雄ねじと螺合する雌ねじをそれぞれ刻設し、これらのねじのねじ切り方向を、内筒ユニットが解錠方向に回動したとき内方に移動するように設定すると共に、各内筒ユニットをそれぞれの間に隙間が生じないように外筒に螺合させたことを特徴とするシリンダ錠。
【請求項２】
鍵孔に合鍵が挿入されたとき、内筒の外端内筒ユニットと最奥内筒ユニットは一体に連結されて回動するが、該内筒の外端内筒ユニットのピッキング時、該外端内筒ユニットを解錠方向に回そうとしても回すことができない構成とし、以てピッキングを不可能にするため、シリンダ錠の内筒を、少なくとも１個のタンブラーを有する最奥内筒ユニットと、少なくとも１個のタンブラーを有する外端内筒ユニットを含む複数の内筒ユニットに分割し、各内筒ユニットの外周に雄ねじを、外筒の内周面にこの雄ねじと螺合する雌ねじをそれぞれ刻設し、これらのねじのねじ切り方向を、内筒ユニットが解錠方向に回動したとき内方に移動するように設定すると共に、各内筒ユニットを外筒に螺合させたことを特徴とするシリンダ錠。
【請求項３】
最奥内筒ユニットにその軸線方向に沿って内方から外方に向け螺杆を螺合させると共に、螺杆の先端を外端内筒ユニットの内端面に当接させることにより、外端内筒ユニットとその内側の内筒ユニットとの間の隙間を前記螺杆の先端部で補完するようにしたことを特徴とする請求項１又は２に記載のシリンダ錠。
【請求項４】
外端内筒ユニットの前方に位置するキーガイドをシリンダ錠の外筒に対し回動可能に装着し、キーガイドと外端内筒ユニットとの円周方向の相対位置を一定にするために、キーガイドの裏面に突設した案内ピンを外端内筒ユニットにその軸線方向に沿って設けた受け孔に摺動自在に嵌め合わせたことを特徴とする請求項１、２又は３に記載のシリンダ錠。
【発明の詳細な説明】
【０００１】
【産業上の利用分野】
この発明は、ピンタンブラー錠、ディスクタンブラー錠及びレバータンブラー錠（ロータリーディスクタンブラー錠）を含むシリンダー錠に係り、特にピッキングによる不正解錠を不可能にした新規なシリンダ錠に関する。
【０００２】
【従来の技術】
従来のシリンダ錠は、例えばディスクタンブラー錠を例に採ると、図７及び図８に示すように、外筒１と内筒２とを備え、内筒２にその軸線に沿って列設された複数のタンブラー３、３のそれぞれを、鍵孔４に挿入された鍵の対応する鍵溝底により半径方向に移動させ、その両端を外筒１と内筒２との摺接面（シアーライン）に揃えて、内筒２を回動可能にするものである。
【０００３】
後にするこの発明の説明を容易にする為、その一般的な構成を図７を参照して更に説明すると、例えば、内筒２の外端（図７で左端）にはそれよりも大径のキーガイド５を装着すると共に、内筒２の内端を小径に絞ってストッパー板６に開口した図示しない孔に嵌合させ、Ｅ−リング等の止め輪７を嵌着する。
【０００４】
尚、図７及び図８において、符号８は外筒１の内面に形成された係止溝を、符号９は図示しない錠箱の錠止機構と内筒２とを連結するテールピースをそれぞれ示す。
【０００５】
【発明が解決しようとする課題】
しかして、シリンダ錠は、所謂ピッキングによる不正解錠が困難ではないことが一部の専門家の間では知られている。
【０００６】
このピッキングは、細い工具を鍵孔４（図８参照）から内筒２中に差込み、各タンブラー３を動かしながら内筒２を僅かに解錠方向に回して、タンブラー３の先端隅部を係止溝８とシアーラインの交線である肩部１０に乗せることによって行われる如くである。
【０００７】
この発明は、上記したピッキングによる不正解錠を不可能にする新規なシリンダ錠を提供することを目的としている。
【０００８】
【課題を解決するための手段】
上記の目的を達成するため、請求項１に記載の発明は、鍵孔に合鍵が挿入されたとき、内筒の外端内筒ユニットと最奥内筒ユニットは一体に連結されて回動するが、該内筒の外端内筒ユニットのピッキング時、該外端内筒ユニットを解錠方向に回そうとしても回すことができない構成とし、以てピッキングを不可能にするため、シリンダ錠の内筒を、少なくとも１個のタンブラーを有する最奥内筒ユニットと、少なくとも１個のタンブラーを有する外端内筒ユニットを含む複数の内筒ユニットに分割し、各内筒ユニットの外周に雄ねじを、外筒の内周面にこの雄ねじと螺合する雌ねじをそれぞれ刻設し、これらのねじのねじ切り方向を、内筒ユニットが解錠方向に回動したとき内方に移動するように設定すると共に、各内筒ユニットをそれぞれの間に隙間が生じないように外筒に螺合させたことを特徴とする。
【０００９】
また、請求項２に記載の発明は、鍵孔に合鍵が挿入されたとき、内筒の外端内筒ユニットと最奥内筒ユニットは一体に連結されて回動するが、該内筒の外端内筒ユニットのピッキング時、該外端内筒ユニットを解錠方向に回そうとしても回すことができない構成とし、以てピッキングを不可能にするため、シリンダ錠の内筒を、少なくとも１個のタンブラーを有する最奥内筒ユニットと、少なくとも１個のタンブラーを有する外端内筒ユニットを含む複数の内筒ユニットに分割し、各内筒ユニットの外周に雄ねじを、外筒の内周面にこの雄ねじと螺合する雌ねじをそれぞれ刻設し、これらのねじのねじ切り方向を、内筒ユニットが解錠方向に回動したとき内方に移動するように設定すると共に、各内筒ユニットを外筒に螺合させたことを特徴とする。
【００１０】
更に、請求項３に記載の発明は、請求項１又は２に記載のシリンダ錠において、最奥内筒ユニットにその軸線方向に沿って内方から外方に向け螺杆を螺合させると共に、螺杆の先端を外端内筒ユニットの内端面に当接させることにより、外端内筒ユニットとその内側の内筒ユニットとの間の隙間を前記螺杆の先端部で補完するようにしたことを特徴とする。
【００１１】
更にまた、請求項４に記載の発明は、請求項１、２または３に記載のシリンダ錠において、外端内筒ユニットの前方に位置するキーガイドをシリンダ錠の外筒に対し回動可能に装着し、キーガイドと外端内筒ユニットとの円周方向の相対位置を一定にするために、キーガイドの裏面に突設した案内ピンを外端内筒ユニットにその軸線方向に沿って設けた受け孔に摺動自在に嵌め合わせたことを特徴とする。
【００１２】
【作用】
上記のように構成された請求項１に記載された発明によるシリンダ錠は、合鍵を鍵孔に差し込んで通常の施解錠操作の場合には、各内筒ユニットはこの合鍵により相互に一体的に連結されているから、合鍵の施解錠操作に伴って若干前後方向に移動するが、通常に作動する。
【００１３】
尚、ここで合鍵とは、所謂スペアーキーのことをいうのではなく、当該錠前を解錠すべくシャンクに正規の鍵溝を刻設した鍵をいうものとする。
【００１４】
さて、ピッキングによりこのシリンダ錠を不正解錠すべく、ピッキングの手法に従い、外端内筒ユニットの最外端のタンブラーを細い工具により操作し、外端内筒ユニットを解錠方向に回したとする。
【００１５】
すると、外端内筒ユニットより奥の内筒ユニットはその儘外筒内に留まる一方、外端内筒ユニットは奥に移動しようとするから、外端内筒ユニットの内端がこれに隣接する他の内筒ユニットの外端に突き当たり、外端内筒ユニットを回すことができない。
【００１６】
従ってタンブラーの先端隅部を係止溝の肩部に乗せることができず、ピッキングの最初の工程が不能となる。換言すれば、ピッキングは不可能である。
【００１７】
尚、ピンタンブラー錠の場合には、上記肩部を外筒内面に開口するピン孔の開口端縁と、レバータンブラー錠の場合には上記肩部をロッキングバーの内端縁と読み替えれば同じ説明が適用できる。
【００１８】
一方、請求項２に記載の発明においては、例えば製造上の誤差により外端内筒ユニットの回動方向に若干のガタ（遊び）がある場合を想定しており、悪意の第三者がこのガタを利用して外端内筒ユニットの全タンブラーを係止溝の肩部に乗せることができたとする。
【００１９】
この場合、通常のシリンダ錠は、内筒は一体であるから、鍵孔の外端開口に工具を差し込んで解錠方向に回動させればシリンダ錠は解錠してしまうのであるが、本発明によるシリンダ錠は、外端内筒ユニットのみが解錠方向に回動しようとし、テールピースを有する最奥内筒ユニットは回動しないから解錠ができない。
【００２０】
仕方が無く、外端内筒ユニットに隣接する次の内筒ユニットをピッキングにより解錠しようとすると、その外端のタンブラーの操作は可能であっても、その内筒ユニットを回動させる手段がないので、結局ピッキングは不可能である。
【００２１】
また、請求項３に記載の発明においては、外端内筒ユニットの内端面に常に回り止め用の螺杆の先端部が当接しているところから、ピッキングを目的とする外端内筒ユニットの解錠方向への回動が全く不可能となる。従って、ピッキングによる不正解錠はできないことになる。
【００２２】
尚、請求項３に記載の発明のシリンダ錠における他の作用は、請求項１の発明のそれと同様であるから、ここではその説明は省略する。
【００２３】
更に、請求項４に記載の発明においては、キーガイドを外端内筒ユニットとは分離してシリンダ錠の外筒に回動可能に装着してあり、キーガイドは、合鍵により各内筒ユニット共に回動は可能であるが、軸線方向への移動はできないようにしてあるので、外筒の前面部より沈み込むことがなく、外観上違和感がない。
【００２４】
【実施例】
以下、この発明の３つの実施例を図面を参照して順次説明する。
図面において、図１はこの発明の第１実施例を、図２及び図３は第２実施例を、また、図４〜図６は第３実施例をそれぞれ示している。
【００２５】
図１の第１実施例において、符号１１は外端内筒ユニットを、符号１２は最奥内筒ユニットをそれぞれ示し、これら外端内筒ユニット１１及び最奥内筒ユニット１２は、技術的思想上、図７及び図８に示すディスクタンブラー錠の内筒２を、鍵孔４の長さ方向に対し垂直な分割面１３により２つに分割したものである。
【００２６】
この場合、外端内筒ユニット１１及び最奥内筒ユニット１２がそれぞれ少なくとも１個のタンブラー３を有するように、その分割面１３の位置を設定する。
【００２７】
各内筒ユニット１１、１２の外周部に雄ねじ部１４を形成し、一方、外筒１の内面にはこの雄ねじ部１４と螺合する雌ねじ部（図示せず）を刻設する。
【００２８】
そして、これらねじ部のねじ切り方向を、内筒ユニット１１、１２が解錠方向に回動したとき、これらが内方（図１で右方）に移動するように設定する。
【００２９】
その為、外端内筒ユニット１１の外端に装着されたキーガイド５の外径は、外筒１の外端面と干渉しないように、その内径より小さく設定するものとする。
【００３０】
或いは、キーガイド５の外径を外筒１の内径よりも大きくしたとしても、キーガイド５と外筒１の外端面の間に隙間を設けておけば、外端内筒ユニット１１が解錠時内方に移動しても、キーガイド５と外筒１との干渉を防止することができる。
【００３１】
上記のように構成された外端内筒ユニット１１及び最奥内筒ユニット１２を、これらの間に隙間が生じないように外筒１内に捩じ込むと、請求項１に記載の発明によるシリンダ錠が得られる。
【００３２】
この場合、例えば製造上の誤差の為、外端内筒ユニット１１の内端と、最奥内筒ユニット１２の外端が当接したとき、鍵孔４が各内筒ユニットの円周方向において相互にずれる場合も考えられる。
【００３３】
このような場合には、例えば適切な厚さの鍵孔を包囲する環状のスペーサを両者の間に挿入し、鍵孔が両内筒ユニットに跨がって整合するように調節することもできる。
【００３４】
尤も、両内筒ユニットの間に隙間が生じたとしても、それは外端内筒ユニット１１のピッキングを可能にするのみで、前記したように、外端内筒ユニット１１をピッキングできたとしても、最奥内筒ユニット１２のピッキングは不可能であるから、内筒ユニット相互の間に若干の隙間が生じても機能上差支えがない。
【００３５】
尚、図８に示すように、外端内筒ユニット１１を解錠方向に回動させるとき係止溝８の側壁と当接するタンブラー３の先端部を、鎖線で示す切断線１５により切り欠いておくと、外端内筒ユニット１１とその奥の内筒ユニットの間に若干の隙間があったとしても、その隙間が許す外端内筒ユニット１１の回動範囲ではタンブラー３が肩部１０に接触せず、この場合外端内筒ユニット１１のピッキングがそもそも不可能になる。
【００３６】
また、図１に示す第１実施例では、雄ねじ部１４が全内筒ユニットに渡って形成されているが、これは各内筒ユニットにおいて、例えば１条以上ねじの螺旋が形成されていれば充分である。
【００３７】
これは外筒１の内周面においても同様で、各内筒ユニットの外周の雄ねじ部に対向する部分に、通常の施解錠操作における内筒ユニットの移動に対し、その雄ねじ部と外れない程度の雌ねじ部を形成しておけば充分である。
【００３８】
更にまた、通常のシリンダ錠は、例えば図９に示すレバータンブラー錠のように、内筒を棒状の素材から切出して構成せず、複数の仕切板１６を筒状のリテーナー１７により結合して鍵孔４の長さ方向に積層し、各仕切板１６と隣接する他の仕切板１６との間のスリットに、外形略Ｃ字形のレバータンブラーの一端を回動自在に支承して内筒２を構成することがある。
【００３９】
このような場合には、選択された１枚又は複数枚の仕切板の外周縁に雄ねじを形成する。
【００４０】
ちなみに、レバータンブラー錠は、合鍵の鍵溝によりタンブラー３を動かして、その自由外端縁に形成された解錠切欠１８を、内筒２の母線に沿って延在するロッキングバー１９の内端縁に整合させ、内筒の回動時、外筒１の内周面の母線に沿って形成された断面Ｖ字形の溝に係合するロッキングバー１９を楔作用により内筒の半径方向に変位させて、内筒を回動可能にするものであり、この発明はこのレバータンブラー錠にも適用可能である。
【００４１】
この場合、ロッキングバー１９は、各内筒ユニット間において分断してもよいし、全体として一体のものとしてもよい。
【００４２】
後者の場合には、ロッキングバー１９は全内筒ユニットに係合するので、請求項２に記載の発明によるシリンダ錠における外端内筒ユニットのピッキング時、ロッキングバー１９の内端部が他の内筒ユニットに押えられていて動かないので、ピッキングが益々困難になる。
【００４３】
尚、これはこの発明の必須の構成ではないが、図１に示すように、キーガイド５の基部にフランジ部を一体に形成し、このフランジ部を利用して適切にストッパーを設け、このシリンダ錠を扉に装着するとき外端内筒ユニット１１が外筒１から抜き外されないようにするのが良い。
【００４４】
それは、外端内筒ユニットを解錠方向とは逆方向に回して外筒から抜き去られれば、その内側の内筒ユニットのピッキングが可能になるからである。
【００４５】
図２及び図３に示すこの発明の第２実施例において、図１に示す第１実施例と同一の符号で指し示す部材は、互に等効の作用を呈する部材であるから、ここでは詳しい説明は省略する。
【００４６】
図２及び図３において、符号２０は最奥内筒ユニット１２にその軸線に沿って内方から外方に向け螺合させた螺杆である。
【００４７】
２１は螺杆２０の基部（内端）に設けたドライバーその他の工具の係着部を、２２、２３は外端内筒ユニット１１及び最奥内筒ユニット１２の一側面の長さ方向に沿ってそれぞれ一体に設けた横断面台形をなす突条（肉厚部分）をそれぞれ示している。
【００４８】
そして、前記螺杆２０の先端は、外端内筒ユニット１１の内端面（後端面）に当接させることにより、外端内筒ユニット１１のその内側の内筒ユニットとの間の隙間を前記螺杆２０の先端部で補完するようにする。
【００４９】
外端内筒ユニット１１と最奥内筒ユニット１２との間に、更に中間内筒ユニット（図示しない）を備えている場合は、その中間内筒ユニットに対しては螺杆２０は螺合させることなく、挿通孔をもって貫通させておけばよい。
【００５０】
悪意の第三者がピッキングを目的として外端内筒ユニット１１を回動させようとした時、回り止めとして作用する螺杆２０は、外端内筒ユニット１１と最奥内筒ユニット１２又は中間内筒ユニット（図示しない）との間に、製作上又は組み立て上の誤差により実質的に隙間が生じても、その先端部が隙間を補完するところとするので、前記の内筒ユニットは互に直接密接させたと同様に作動（作用）する。
【００５１】
次に、図４〜図６に示すこの発明の第３実施例についてその要部を説明する。この実施例においても、図１に示す第１実施例と同一の符号で指し示す部材は、互に等効の部材であるから、ここでは詳しい説明は省略する。
【００５２】
第３実施例においては、外端内筒ユニット１１の前方に位置させてあるキーガイド５０は、従来のものとは異なり、外端内筒ユニット１１に対し一体的に固設させてはいない。
【００５３】
そのキーガイド５０は、例えばその基部に一体に形成したフランジ部を前後の止め輪２４、２４その他の位置決め手段で軸線方向への移動を止めることにより、シリンダ錠の外筒１の内周部に回動可能に装着してある。
【００５４】
そして、キーガイド５０の裏面には少なくとも１つ（図示例では２つ）の案内ピン５１が突設してあって、各案内ピン５１の先端は外端内筒ユニット１１の前方面にその外端内筒ユニット１１の軸線に沿って設けた対応する受け孔５２に摺動可能に嵌め合せてある。
【００５５】
前記の案内ピン５１と受け孔５２の組は、外筒１に嵌め合されて回動可能にしたキーガイド５０と外筒１に螺合させた外端内筒ユニット１１との回転角度方向の相対位置を一定にするため設けたものである。
【００５６】
換言すれば、案内ピン５１と受け孔５２との嵌まり合いは、キーガイド５０の鍵孔４０と外端内筒ユニット１１の鍵孔４とを角度位置に関し常に互に合致（整合）させるところとし、これによって、２つの鍵孔４０、４がずれることがなくなり、鍵の挿入を常に円滑にする。
【００５７】
なお、第３実施例のシリンダ錠において、用いられる合鍵２５は、キーガイド５０を通じて内筒ユニット１１、１２に差し込み解錠方向に回した時、軸線方向には移動しないが、タンブラー３を含む各内筒ユニット１１（１２）は外筒１に螺合させてあるため、図６に矢印Ａで示す方向にわずかではあるが前進する。
【００５８】
そのため、合鍵２５の鍵溝底２６には鍵の長さ方向に直線的な逃げ（遊び）を要する。同図において、鎖線で示した鍵溝は従来の通常の合鍵のものであり、実線で示した鍵溝は第３実施例の発明に係る合鍵２５のものである。
【００５９】
【発明の効果】
以上の説明から明らかなように、請求項１に記載の発明は、内筒を２つ以上の内筒ユニットに分割すると共にこれらの外周に雄ねじ部を形成し、これらを相互の間に隙間が生じないようにして外筒内に螺合させるようにしてので、外端内筒ユニットのピッキング時、そのピッキングに必要な外端内筒ユニットの回動ができず、従ってピッキングができない。
【００６０】
また、請求項２に記載の発明においては、外端内筒ユニットとこれに隣接する内筒ユニットとの間にガタがあって外端内筒ユニットのピッキングができたとしても、これに隣接する他の内筒ユニットの回動操作ができず、従ってピッキングができない。
【００６１】
そしてまた、請求項３の発明においては、外端内筒ユニットとこれに隣接する内筒ユニットとの間の隙間を螺杆の先端部により補完し、両内筒ユニット間の密着性を螺杆を介して高め得るので、外端内筒ユニットのピッキングのための回動を更に確実に阻止するところとする。
【００６２】
更にまた、請求項４に記載の発明においては、キーガイドの外筒前面部に対する沈み込みを排除したので、外観上の違和感をなくすことができる。
【００６３】
上記のように、本発明は、比較的簡単な構成によってピッキングを不可能にしたものであり、シリンダ錠の本来の機能である防犯上の安全性を格段に向上できる、という優れた効果を奏する。
【図面の簡単な説明】
【図１】この発明のシリンダ錠の第１実施例を示す線図的縦断側面図。
【図２】この発明のシリンダ錠の第２実施例を示す線図的縦断側面図。
【図３】その線図的背面図。
【図４】この発明のシリンダ錠の第３実施例を示す線図的縦断側面図。
【図５】図４のＶ−Ｖ線によるその線図的横断正面図。
【図６】第３実施例のシリンダ錠に用いられる合鍵と内筒ユニットとの関係を示す拡大縦断部分側面図。
【図７】従来のディスクタンブラー錠の一例を示す線図的縦断側面図。
【図８】その線図的横断側面図。
【図９】従来のレバータンブラー錠の一例を示す横断正面図。
【符号の説明】
１  外筒
２  内筒
３  タンブラー
４  鍵孔
４０  鍵孔
５  キーガイド
５０  キーガイド
５１  案内ピン
５２  受け孔
６  ストッパー板
７  止め輪
８  係止溝
９  テールピース
１０  肩部
１１  外端内筒ユニット
１２  最奥内筒ユニット
１３  分割面
１４  雄ねじ部
１５  切断線
１６  仕切板
１７  リテーナー
１８  解錠切欠
１９  ロッキングバー
２０  螺杆
２１  工具の係着部
２２  突条
２３  突条
２４  止め輪
Ａ  矢印
【図１】
0003824094.tif 000002
【図２】
0003824094.tif 000003
【図３】
0003824094.tif 000004
【図４】
0003824094.tif 000005
【図５】
0003824094.tif 000006
【図６】
0003824094.tif 000007
【図７】
0003824094.tif 000008
【図８】
0003824094.tif 000009
【図９】
0003824094.tif 000010